(57)【要約】【課題】無線ＬＡＮは国によって電波法で認可されている電波の周波数が異なっているため、無線ＬＡＮ製品は使用する国ごとに用意する必要があった。【解決手段】現在地の国を特定し国情報を作成する。国情報と周波数情報データーベースから、無線ＬＡＮ装置の使用する周波数を設定する。国の特定方法はＧＰＳ装置と地図データベースにて特定する方法または、ＤＮＳサーバー名の国コードと国コードデータベースにて特定する。国を特定できない場合は、無線ＬＡＮ対向機のビーコンを受信し、ビーコンと同じ周波数を使用する設定する。【効果】国や地域を気にせず無線ＬＡＮ装置を利用できる。【選択図】  図１
2004357082.tif 000002
【特許請求の範囲】
【請求項１】
ＧＰＳを利用し地図情報と比較することにより国を限定し、国情報を生成し無線ＬＡＮ装置に送る機能を有する国判別機能と、国ごとに無線ＬＡＮの認可されている周波数情報を格納した周波数情報データ−ベースと国情報と周波数情報を受信し、通信電波の周波数切り替えを自動的に行う機能を内蔵した無線ＬＡＮ装置で構成されることを特徴とする無線ＬＡＮシステム。
【請求項２】
請求項１のＧＰＳと地図情報と国判別機能と周波数情報データ−ベースと無線ＬＡＮ機能のすべてまたは一部を内蔵することを特徴とする無線ＬＡＮ装置。
【請求項３】
請求項１のＧＰＳと地図情報と国判別機能と周波数情報データ−ベースと無線ＬＡＮ機能のすべてまたは一部を内蔵することを特徴とするパソコン。
【請求項４】
国判別機能はネットワークに接続する場合に設定するＤＮＳ（ドメイン・ネーム・サーバー）名の国コードと国コードデーターベースから国情報を作成することも可能とする無線ＬＡＮ装置。
【請求項５】
国判別情報が受信出来ない場合に周囲の無線ＬＡＮのビーコンを受信し、その周波数のみ電波を送受信することを特徴とする無線ＬＡＮ装置。
【発明の詳細な説明】
【０００１】
【発明の属する技術分野】
本発明はパソコンのネットワーク接続を無線ＬＡＮで行う場合に、現在地で認可されている周波数帯で送受信を行うように自動的に切り替える無線ＬＡＮシステム。
【０００２】
【従来の技術】
従来の無線ＬＡＮ製品は使用できる周波数が固定であり、仕向け先の国ごとに、その国で認可されている周波数に合わせた製品を製造して各国へ出荷していた。
【０００３】
【特許文献】
なし
【０００４】
【発明が解決しようとする課題】
移動体通信のひとつの手段として無線ＬＡＮが普及している。しかし、無線ＬＡＮで使用できる周波数は国によって認可している範囲が異なっているおり、従来技術の無線ＬＡＮ装置は各国の仕様に従い周波数を固定して製造・販売しているため、「Ａ国仕様の無線ＬＡＮ装置はＢ国で使用できない。」、「Ａ国に設置している無線ＬＡＮ装置の対向機が、Ｂ国の使用できない周波数に設定されていて、Ｂ国仕様の無線ＬＡＮ装置を持ち込んだ場合に接続できない。」という問題があった。
【０００５】
本発明の目的は、無線ＬＡＮ装置を国や地域に関係なく自動的に使用可能にすることを目的とする。
【０００６】
【課題を解決するための手段】
上記目的を達成するためには、現在地の国を判断して無線ＬＡＮ装置の無線周波数を自動的に現在地の国の認可されている周波数に切り替えることでどんな国でも利用できるようにする。
【０００７】
現在地を判断する手段としては次の方法１〜方法３のいずれかまたは複数の方法による
方法１：ＧＰＳと地図情報データーベースにより現在地の国を判断する。
方法２：ＩＰアドレスを自動取得するときにオペレーティングシステムに設定するＤＮＳサーバーのドメイン名に入っている国コードと国コードと国情報からなる国コードデーターベースにより国を判断する。
【０００８】
また国情報が取得できない場合に無線ＬＡＮの対向機が発信するビーコンを無線ＬＡＮ装置が受信し、無線ＬＡＮのビーコンに含まれている対向機が使用している周波数情報を取得して、無線ＬＡＮ装置は対向機と同じ周波数のみ送受信可能とする。
【０００９】
【発明の実施の形態】
本実施形態は無線ＬＡＮシステムとして無線ＬＡＮ内蔵のパソコンを例に説明する。
（実施例１）
パソコンａは起動時、電波オン／オフ機能ｂにより無線ＬＡＮの通信電波ｃをＯＦＦした状態で起動する。国設定機能ｄはＧＰＳ装置ｅと国判別機能ｆに対し国判別要求ｇを送信する。
【００１０】
パソコンａはＧＰＳアンテナｈを接続することによりＧＰＳ衛星からの信号を受信する。ＧＰＳ装置ｅは緯度・経度情報ｊを作成し、国判別機能ｆに送る。国判別機能ｆは緯度・経度情報ｊを受信すると、地図情報データ−ベースｋと比較を行い国を判断し国情報ｍを無線ＬＡＮ装置ｎに送付する。無線ＬＡＮ装置ｎの中にある国設定機能ｄは周波数情報データーベースｐより国情報ｍと一致する国の周波数情報を取り出し、周波数切り替え機能ｒに送る。国設定機能ｄは電波オンオフ機能ｂに電波オンの信号を送り、パソコンａは無線ＬＡＮ対向機ｓとの通信を開始する。
（実施例２）
パソコンａが起動時、無線ＬＡＮ装置は電波オン／オフ機能ｂにより無線ＬＡＮの通信電波ｃをオフした状態で起動する。国設定機能ｄは国判別機能ｆに対し国判別要求ｇを送信する。国判別機能ｆはＤＮＳサーバー名の設定エリアｔからＤＮＳサーバーアドレスｕを取り出し国コードと国コードデーターデースｖを比較して国を判別し国情報ｍを作成して、無線ＬＡＮ装置ｎに送付する。無線ＬＡＮ装置ｎの中にある国設定機能ｄは周波数情報データベースｐより国情報ｍと一致する国の周波数情報を取り出し、周波数切り替え機能ｒに送る。国設定機能ｄは電波オン／オフ機能ｂに電波オンの信号を送り、パソコンａは無線ＬＡＮ対向機ｓとの通信を開始する。
（実施例３）
国情報を取得できない場合の実施例を図３にて説明する。
【００１１】
国設定機能ｄは国情報ｍが不明であるとき、国情報が取得できないと判断する。このとき国設定機能ｄは電波オン／オフ機能ｂとビーコン判別機能ｘにビーコン判定要求ｙを送出する。電波オン／オフ機能ｂは電波の受信のみを開放し、ビーコンｗを受信しビーコン判定機能ｘに送出する。ビーコン判別機能ｘはビーコンｗから使用している電波の周波数を判別し、周波数情報ｚを国設定機能ｄに送出する。国設定機能ｄは周波数切り替え機能ｅに周波数情報ｚを送信し、周波数情報ｚの周波数に設定する。とき国設定機能ｄは電波オン／オフ機能ｂに電波オンの信号を送出し、電波オン／オフ機能は電波の送受信をオンにする。無線ＬＡＮ装置ｎは対向機ｓと通信を開始する。
【００１２】
【発明の効果】
本発明は、無線ＬＡＮシステムを、世界中のどの国や地域でもユーザーが意識することなく使用できるという効果奏する。
【図面の簡単な説明】
【図１】本発明の実施例１について、無線ＬＡＮ内蔵のパソコンを例にＧＰＳを使用した国設定方法の情報の流れを示す。
【図２】本発明の実施例２について、無線ＬＡＮ内蔵のパソコンを例にＤＮＳサーバーアドレスを使用した国設定方法の情報の流れを示す。
【図３】本発明の実施例２について、無線ＬＡＮ内蔵のパソコンを例に国情報が入手できない時の情報の流れを示す。
【符号の説明】
ａ…パソコン、ｂ…電波オン／オフ機能、ｃ…通信電波、ｄ…国設定機能、ｅ…ＧＰＳ装置、ｆ…国判別機能、ｇ…国判別要求信号、ｈ…ＧＰＳアンテナ、ｊ…緯度・経度情報、ｋ…地図情報データーベース、ｍ…国情報、ｎ…無線ＬＡＮ装置、ｐ…周波数情報データーベース、ｒ…周波数切り替え機能、ｓ…無線ＬＡＮ対向機、ｔ…ＤＮＳサーバー名の設定エリア、ｕ…ＤＮＳサーバーアドレス、ｖ…国コードデーターベース、ｗ…ビーコン、ｘ…ビーコン判別機能、ｙ…ビーコン判定要求信号、ｚ…使用可能な周波数情報。
【図１】
2004357082.tif 000003
【図２】
2004357082.tif 000004
【図３】
2004357082.tif 000005